(57)【要約】【課題】  本発明は近場のみならず比較的遠方でもウキ止め１をマグネットリング４で磁力吸引力により密着させてウキ２を引っ張り、餌を魚の食餌層に安定して配置できる。魚が餌を咥えた際はウキ止め１は竿の操作で磁力吸引力による密着を解放離脱し上貫通孔５を通過し得る、構造簡単、安価な釣り用ウキに関する。【解決手段】  釣り糸２に配置した磁化可能な素材からなるウキ止め１が挿走可能な上貫通孔５及び該上貫通孔５と連通する位置に配置されたマグネットリング４とを備えた上部ウキ本体１１と、前記マグネットリング４と連通するウキ止め１を通過阻止する下貫通孔６とを備えたことを特徴とする釣り用ウキ。【選択図】  図１
2010142135.tif 000002
【特許請求の範囲】
【請求項１】
釣り糸２に配置した磁化可能な素材からなるウキ止め１が挿走可能な上貫通孔５及び該上貫通孔５と連通する位置に配置されたマグネットリング４とを備えた上部ウキ本体１１と、前記マグネットリング４と連通するウキ止め１を通過阻止する下貫通孔６とを備えたことを特徴とする釣り用ウキ。
【請求項２】
前記ウキ止め１が釣り糸２にコイル状又は円筒状に巻回させてなる請求項１記載の釣り用ウキ。
【請求項３】
前記上貫通孔５が３〜１０ｍｍ、前記下貫通孔６が０．５〜３ｍｍの範囲内である請求項１または請求項２記載の釣り用ウキ。
【請求項４】
前記マグネットリングがドーナツ状形態で、ネオジム磁石から形成された請求項１または請求項２記載の釣り用ウキ。
【発明の詳細な説明】
【技術分野】
【０００１】
本発明は釣り用ウキの改良に係り、近場のみならず比較的遠方でも餌を魚の食餌層に安定して配置でき、魚が餌を咥えた際は効果的な確認ができ、さらに、ウキをウキ止めから簡単容易に離脱可能な、構造簡単、安価な釣り用ウキに関する。
【背景技術】
【０００２】
従来、釣り魚の種類により食餌層は千差万別で、深い層の魚を釣るには竿の何倍にもなる釣り糸にウキ止めを用いる必要があった。このため釣り糸にウキを固定すれば竿より長いと糸が巻き取れない。この解決には、ウキ止めにのみ糸を固定し、ウキはフリー仕掛けを用いていた（通称、遊動ウキ）。しかし、この方法だと魚の食餌タイミングは判るが、釣り糸を引くと糸のみ上に引き上げられ、餌は魚の食餌層から離れてしまう。したがって、餌を魚の食餌層に安定して配置することができなかった。
【０００３】
また、釣り用ウキとしては（特許文献１、２）等がある。
特許文献１は特許文献２の改良に係る同一発明者によって特許出願されたものである。
特許文献２についての課題は特許文献１の（０００６）に記載されたとおりである。また、ここでは、特許文献１について以下の解決課題が残されており、本発明でかかる課題が解決された点につき述べる。
【０００４】
【特許文献１】特開２００８−１４８５９１号公報
【特許文献２】特開２００２−３１５４８４号公報
【０００５】
このウキは荒海だと釣り用ウキの上下運動が激しくウキの溝部分より糸が浮き、ウキ止めがおもりの方向にズレるので、固定ウキの役目をしなくなる。そこですぐに引き上げて、ウキ止めをウキより上に持ってゆく撮作をしなくてはならない、
第２はウキとおもりが離れていると、おもりのテンションがウキに掛らず、ウキの溝から糸が外れるので、要するにこのウキはある程度、釣り魚を限定したウキに効果を期待する仕掛けであった。このウキの欠点を、本発明のマグネットリングを配した釣り用ウキにより課題解決を図り、遥かに汎用性がある。その結果、ウキとウキ止めを磁力吸引力による密着と手元操作による密着の解放によることで解決したものである。
【発明の開示】
【発明が解決しようとする課題】
【０００６】
本発明は、ウキの溝部分より釣り糸が浮くような欠点を解消することで前記課題を解決し、近場のみならず比較的遠方でも餌を魚の食餌層に安定して配置でき、魚が餌を咥えた際は効果的な確認ができるものである。また、ウキとウキ止めにつき磁力吸引力による密着と手元操作による密着の解放を容易に可能ならしめた単純な構造で安価である釣り用ウキを提供するものである。
【課題を解決するための手段】
【０００７】
本発明は、釣り糸２に配置した磁化可能な素材からなるウキ止め１が挿走可能な上貫通孔５及び該上貫通孔５と連通する位置に配置されたマグネットリング４とを備えた上部ウキ本体１１と、前記マグネットリング４と連通するウキ止め１を通過阻止する下貫通孔６とを備えたことを特徴とする釣り用ウキにより提供される。
【０００８】
また、前記ウキ止め１が釣り糸２にコイル状又は円筒状に巻回させてなる前記記載の釣り用ウキ、または、前記上貫通孔５が３〜１０ｍｍ、前記下貫通孔６が０．５〜３ｍｍの範囲内である前記記載の釣り用ウキにより提供される。
【０００９】
さらにまた、前記マグネットリングがドーナツ状形態で、ネオジム磁石から形成された前記記載の釣り用ウキにより効果的に提供される。
【発明の効果】
【００１０】
本発明は釣り用ウキの改良に係り、ウキ止め１をマグネットリング４の磁力吸引力により密着させてウキ２を引っ張り、釣り針８を釣り糸２の位置より先行させることができ、近場のみならず比較的遠方でも餌を魚の食餌層に安定して配置できる。魚が餌を咥えた際は効果的な確認ができ、釣り糸２を引き上げることで、ウキ止め１は、竿の操作でマグネットリング４の磁力吸引力による密着を解放離脱し上貫通孔５を通過し釣果を得られる。
【発明を実施するための最良の形態】
【００１１】
以下、本発明を図１ないし図３を用いて具体的に説明する。
図１は本発明の釣り用ウキを用いた釣り糸の全体図を示す。ここでは、発明の理解のため。ウキ止め１及びウキ３を強調して表示してある。図示しない竿の先端から延びる釣り糸２には、その途中にウキ止め１、ウキ３、ウキ内に配置したマグネットリング４、おもり７、釣り針８が取り付けられている。図２はウキ３の断面図を示す。本発明の一実施例では、ウキ３は楕円型の立体形状とした。
【００１２】
ウキ３には長径方向の中心位置に上貫通孔５及びそれと連通する下貫通孔６を設ける。ウキ３は上部ウキ本体１１にウキ止め１が挿通自在の上貫通孔５と、マグネットリング４を入れる円筒凹部９を設けた。円筒状孔９にはマグネットリング４を挿入した。マグネットリング４はほぼドーナツ状とした。
【００１３】
マグネットリング４の材質としては、錆びにくい、耐衝撃性の高いものが望ましい。本実施例ではネオジム磁石を用いた。ネオジム磁石はネオジム・鉄・ボロンを主成分とした成形焼結品で、非常に優れた磁気エネルギー特性を有するが錆び易い。そこで、本発明では、防錆対策として、主にニッケルメッキ、その上にウレタン樹脂コーティングによる表面処理を施すべきである。また、形態はリングないしドーナツ状であり、特に、その寸法は内径で２ｍｍないし１０ｍｍとすることが重要である。
【００１４】
マグネットリング４は内径、外形及び厚さはウキ３の全体の比重との兼ね合いで決定すべきである。本実施例ではネオマグ株式会社製のリング状のネオジム磁石であり、径方向に着磁されたものを使用した。形状としては内径３ｍｍ、外形５ｍｍ及び厚さは３ｍｍのマグネットリング４を使用した。さらに、組立時には上部ウキ本体１１と下部ウキ本体１２との間にゴムパッキン１３を挟み上部ウキ本体１１と下部ウキ本体１２を図示しない双方のねじ部分で螺合させることが望ましい。この結果、マグネットリング４の位置を固定するとともに、ウキ３の下部ウキ本体１２の貫通孔端１０側を水面下側に傾かせることが達成できた。上部ウキ本体１１に上貫通孔５側と下部ウキ本体１２に下貫通孔６側のそれぞれ設けた２つの成型品をゴムパッキン１３を挟み嵌着ないし接着して組み立てることも可能である。なお、ゴムパッキン１３としては、ゴムリング（例えば、Ｏリング）といったものや、断面が直方体のゴムリングが適宜使用できる。
【００１５】
図３は釣り糸２の部分を一部省略した状態でウキ止め１を釣り糸２に被冠した構造として示したものである。ウキ止め１は種々の形態で実現可能である。要は、上貫通孔５の内径より細く、下貫通孔６の内径より太いことが必要であり、好ましくは、ウキ止め１の外径を上貫通孔５の穴径より余程小径とすることが良い。実施例ではコイル状の磁化可能な針金により釣り糸２に簡易に固定被冠させた。また、コイル状に代え円筒状でも磁化可能な素材で釣り糸２に簡易に被冠固定させた形態で提供可能である。さらに、短冊形のような縦長の磁化可能な細い板状態様としても良い。一般におもりの軽さでウキ止め１が上部の貫通孔５に挿入しにくい欠点があった。本発明では前記ウキ止めの構造改良とともに、ウキ止め１の表面は滑りやすい構造とすることも望ましい。この結果、おもりの軽さによる前記欠点を解消できる。
【００１６】
本発明で「挿走」とは、マグネットリング４の磁力吸引力はウキ止め１がマグネットリング４の内孔部分により密着でき、かつ、手元操作でウキ２を定常的に張っている状態では釣り針８を釣り糸２の位置より先行させることが望ましい。そうすることにより比較的遠方でも餌を魚の食餌層に安定して配置できることとなる。
魚が餌を咥えた際は効果的な確認ができ、竿の操作で釣り糸２を引き上げることで、ウキ止め１は、マグネットリング４の磁力吸引力による密着を解放離脱し上貫通孔５を通過し釣果を得られる。
【００１７】
つぎにウキ止め１の動作を説明する。釣り糸２のウキ３より上部に配置されたウキ止め１は、ウキ３の方へ引き、上貫通孔５を経てマグネットリング４内で磁力により吸引され着磁停止される。釣り糸２の先端側は水中でおもり７によりさらに水中へ沈んでいく。ウキ止め１が停止することにより釣り糸２の先端の釣り針８は目的とする食餌層（棚位置）に到達することになる。そして、海水面を浮遊するウキ３は、棚位置で表層より遅い潮流の特性にマッチすることができる。この結果、釣り針８は釣り糸２の先行を許す結果となり、釣り糸２に敏感な魚は違和感を持ち餌から離れてしまい釣果は得られないことになる。
【００１８】
釣り糸２を引きウキ止め１をマグネットリング４で磁力により掛止させてウキ２を引っ張り、釣り針８を釣り糸２に先行させる。このようにして、魚の違和感を減じ、途中で餌を離すことを解消することができる。潮流のみならず風向きによる同様な環境にも対応できた。さらに、遠くの位置での釣果を期待できるものである。
魚が餌に食いついた際には釣り糸２を引き上げることで、ウキ止め１は、竿の操作でマグネットリング４の磁力による掛止を容易に解放離脱し上貫通孔５を通過し釣果を得られる。
【００１９】
なお、本発明では、磁化可能な鉄属等からなるウキ止め１を釣り系２に固定させ、おもり７の重力でマグネットリング４内に着脱自在に定置させるようにした。他方、この逆にウキ止め自体のパイプ状等形態でマグネット素材とすることもできる。この場合には、マグネットリングに代え磁化可能な鉄属等からなるリング形態とすることを否定するものではない。いずれにしても、下部の貫通孔６はウキ止め１が通過出来ないように細くしておくことが重要である。
【産業上の利用可能性】
【００２０】
本発明は釣り用ウキの改良に係り、近場のみならず比較的遠方でも餌を魚の食餌層に安定して配置でき、魚が餌を咥えた際は効果的な確認ができ、さらに、ウキをウキ止めから簡単容易に着脱可能なウキ止めとネオジム系マグネットリングに着目したが他のマグネット素材を使用する産業上の利用可能性を否定するものではない。
【図面の簡単な説明】
【００２１】
【図１】本発明の釣り用ウキを用いた釣り糸の全体図である。
【図２】ウキ３の断面図である。
【図３】ウキ止めの構造図である。
【符号の説明】
【００２２】
１  ウキ止め１
２  釣り糸２
３  ウキ
４  マグネットリング
５  上貫通孔
６  下貫通孔  
７  おもり
８  釣り針
９  円筒凹部
１０  下貫通孔端
１１  上部ウキ本体
１２  下部ウキ本体
１３  ゴムパッキン
【図１】
2010142135.tif 000003
【図２】
2010142135.tif 000004
【図３】
2010142135.tif 000005